(57)【要約】【課題】埋込型照明器具において、器具効率の向上及び枠ずれ防止を図り、灯体が首振り自在に設けられている場合においても、灯体の首振り範囲を広く確保する。【解決手段】埋込型照明器具は、灯体４と、灯体４を支持する筒状の支持枠とを備える。上部枠体２１は、器具取付面Ｃ１の背面Ｃ２上に配置され、下部枠体２２は器具取付面Ｃ１側から上部枠体２１に螺子入れられる。上部枠体２１の鍔部２１ｂと下部枠体２２の鍔部２２ｃとは、器具取付面Ｃ１側と背面Ｃ２側とで埋込孔Ｃ３周縁を狭持する。このため、枠ずれを防止できると共に、灯体４が首振り自在に設けられた場合においても、支持枠固定用部材により灯体４の首振りは制限されないので、灯体４の首振り範囲を広く確保できる。また、埋込孔Ｃ３の壁面と上部枠体２１又は下部枠体２２との間の隙間を小さくすることができる。従って、光照射口の開口径を大きくして器具効率の向上を図ることができる。【選択図】図６
2008066142.tif 000002
【特許請求の範囲】
【請求項１】
器具取付面に形成された埋込孔に取り付けられる埋込型照明器具において、
灯体と、
前記埋込孔の形状に応じて成形され、前記灯体を支持する筒状の支持枠と、を備え、
前記支持枠は、
外周面に鍔部が設けられ、内周面に螺旋状の溝が設けられ、一部が切欠されて形成された平面視Ｃ字状の第１の枠体と、
外周面に螺旋状の溝が設けられ、該溝の下方に鍔部が設けられた第２の枠体と、で構成され、
前記第１の枠体は、前記器具取付面の背面上に、前記埋込孔に対応して配置され、
前記第２の枠体は、前記埋込孔に前記器具取付面側から挿入され、該第２枠体の溝と前記第１の枠体の溝とが合わされて該第１の枠体に螺子入れられ、
前記第１の枠体の鍔部と前記第２の枠体の鍔部とは、前記器具取付面側とその背面側とで前記埋込孔周縁を狭持することを特徴とする埋込型照明器具。
【請求項２】
前記第１の枠体の切欠された部分の幅は、内周側から外周側にかけて放射状に拡がっていることを特徴とする請求項１に記載の埋込型照明器具。
【発明の詳細な説明】
【技術分野】
【０００１】
本発明は、器具取付面に形成された埋込孔に取り付けられる埋込型照明器具に関する。
【背景技術】
【０００２】
従来の埋込型照明器具として、例えば、天井に形成された埋込孔の開口に埋め込まれ、板ばねにより天井に固定される天井埋込型照明器具が知られている（例えば、特許文献１参照）。本照明器具は、ランプが収納され、このランプからの光が射出される光出口が設けられたランプケースと、このランプケースの光出口部外周に配置された枠と、この枠からランプケースの側面方向へ斜めに延びた板ばねとを備える。
【０００３】
上記の板ばねは、天井の開口部周縁と弾性力を利用して係合可能であり、２つの第１板ばねと、第１板ばねより長さが短い２つの第２板ばねとで構成される。２つの第１板ばねは、ランプケースを挟んで対向配置され、２つの第２板ばねは、第１板ばねが対向する方向と略直交する方向にランプケースを挟んで対向配置されている。本照明器具によれば、互いに直交するように対向配置された２組の板ばねによる４カ所の固定により、天井への安定した固定が可能となると共に、ランプケース下端の枠のゆがみが防止され、天井と枠との間に隙間が発生するのを防止できる。また、第１の板ばねは第２の板ばねより長く、それぞれは２つずつ対向配置されているので、まず第１板ばねを天井に係合し、次に第２板ばねを天井に係合すればよい。このため、例えば４つの板ばねが同じ長さであり、同時にそれらを天井に係合する場合に比べて、本照明器具の取付作業が容易となる。
【特許文献１】特開２００６−４０７７３号公報
【発明の開示】
【発明が解決しようとする課題】
【０００４】
しかしながら、特許文献１に記載の技術では、枠を天井に固定するため板ばねの弾性力を十分に生かすには、天井の開口部の壁面と枠との間に隙間を設ける必要が生じるので、ランプケースの光出口の開口径が小さくなり、器具効率が低下することがあった。また、板ばねにより枠が天井に固定されるので、板ばねの弾性力が弱まるに連れて、枠がランプケースすなわち灯体と共に下方へずれ、天井の開口部の壁面と枠との間の隙間が下方から見えて見栄えが悪くなることがあった。さらに、板ばねは天井裏側に突出するので、天井裏側に位置するランプケースが首振り自在に設けられていた場合、傾いたランプケースが板ばねに接触して、ランプケースの首振りが妨げられることがあった。従って、ランプケースの首振り範囲が制限され、所望の方向への光照射が難しいことがあった。
【０００５】
本発明は、上記従来の問題を解決するためになされたものであり、器具効率の向上及び枠ずれ防止を図ることができ、さらには、灯体が首振り自在に設けられている場合においても、灯体の首振り範囲を広く確保できる埋込型照明器具を提供することを目的とする。
【課題を解決するための手段】
【０００６】
上記目的を達成するために請求項１の発明は、器具取付面に形成された埋込孔に取り付けられる埋込型照明器具において、灯体と、前記埋込孔の形状に応じて成形され、前記灯体を支持する筒状の支持枠と、を備え、前記支持枠は、外周面に鍔部が設けられ、内周面に螺旋状の溝が設けられ、一部が切欠されて形成された平面視Ｃ字状の第１の枠体と、外周面に螺旋状の溝が設けられ、該溝の下方に鍔部が設けられた第２の枠体と、で構成され、前記第１の枠体は、前記器具取付面の背面上に、前記埋込孔に対応して配置され、前記第２の枠体は、前記埋込孔に前記器具取付面側から挿入され、該第２枠体の溝と前記第１の枠体の溝とが合わされて該第１の枠体に螺子入れられ、前記第１の枠体の鍔部と前記第２の枠体の鍔部とは、前記器具取付面側とその背面側とで前記埋込孔周縁を狭持するものである。
【０００７】
請求項２の発明は、請求項１に記載の埋込型照明器具において、前記第１の枠体の切欠された部分の幅は、内周側から外周側にかけて拡がっているものである。
【発明の効果】
【０００８】
請求項１の発明によれば、灯体を支持する支持枠は、埋込孔に直接固定されるので、ばねにより埋込孔に取り付けられる場合と異なり、ばねの弾性力を生かすため埋込孔の壁面と支持枠との間の隙間を拡げる必要がなく、この隙間を小さくすることができる。このため、光照射口の開口径を大きくすることができ、器具効率の向上を図ることができる。さらに、支持枠は、埋込孔周縁を挟持するように固定されるので、枠ずれを防止できると共に、灯体が首振り自在に設けられた場合においても、器具取付面の背面側の空間に突出したばね等の支持枠固定用部材により灯体の首振りが制限されることは無いため、灯体の首振り範囲を広く確保できる。
【０００９】
請求項２の発明によれば、第１の支持枠において螺旋状の溝が設けられた部分を広く確保できるので、第２の枠体を第１の枠体に螺旋入れたとき、第２の枠体を第１の枠体に対して堅固に固定できる。
【発明を実施するための最良の形態】
【００１０】
以下に、本発明の一実施形態に係る埋込型照明器具について図面を参照して説明する。図１は、本実施形態に係る埋込型照明器具１の構成を示す。埋込型照明器具１は、例えば天井の器具取付面に形成された埋込孔に取り付けられるものである。この埋込孔は、例えば、平面視形状が略円状である。上記の埋込型照明器具１は、埋込孔の形状に応じて成形された円筒状の支持枠２と、支持枠２により埋込孔に取り付けられる本体部３と、本体部３に対して首振り自在に設けられた灯体４と、を備える。以下に、埋込型照明器具１の各構成部品について詳細に説明する。なお、支持枠２の形状は、埋込孔の形状に対応したものであり、上記に限定されない。
【００１１】
支持枠２は、上部枠体２１（第１の枠体）と下部枠体２２（第２の枠体）とで構成されている。上部枠体２１は、円筒状の本体２１ａの外周面に鍔部２１ｂが設けられ、該本体２１ａの内周面に螺旋状の溝２１ｃが設けられている。下部枠体２２は、円筒状の本体２２ａの外周面に螺旋状の溝２２ｂが設けられ、該溝２２ｂの下方に鍔部２２ｃが設けられている。上部枠体２１及び下部枠体２２は、例えば金属又は樹脂から成る。
【００１２】
上部枠体２１の形状は、一部が切欠されて形成された平面視Ｃ字状である。この上部枠体２１において、鍔部２１ｂは、本体２１ａの外周面に沿って設けられており、その位置は、外周面の最上部付近又は中部付近である。鍔部２１ｂを含む上部枠体２１の外径は、埋込孔の開口径より大きく、上記外径をＤ１、上記開口径をφとしたとき、Ｄ１＞φとしている。上部枠体２１の外径Ｄ１は、例えば、Ｄ１＝φ＋φ／２としている。また、鍔部２１ｂを除いた上部枠体２１の本体２１ａの外径は、埋込孔の開口径φより少し小さいが、該開口径φと略等しい。
【００１３】
下部枠体２２において、螺旋状の溝２２ｂは、外周面の最上部から中部又は下部にかけて設けられており、鍔部２２ｃは、外周面の最下部に設けられている。鍔部２２ｃを含む下部枠体２２の外径は、埋込孔の開口径φより大きく、上記外径をＤ２としたとき、Ｄ２＞φとしている。また、鍔部２２ｃを除いた下部枠体２２の本体２２ａの外径は、埋込孔の開口径φより少し小さいが、該開口径φと略等しい。
【００１４】
上部枠体２１及び下部枠体２２のそれぞれに設けられた螺旋状の溝２１ｃ、２２ｂは、例えば下方から上方へ左回りに形成されており、断面形状が略三角形で、相互に対応した形状を有している。上部枠体２１の溝２１ｃの山及び谷のそれぞれは、下部枠体２２の溝２２ｂの谷及び山のそれぞれと径が略等しい。このため、下部枠体２２を、該枠体２２の溝２２ｂを上部枠体２１の溝２１ｃに合わせて上部枠体２１に螺旋入れることが可能になる。なお、上記の溝２１ｃ、２２ｂの形状は上記に限定されず、下方から上方へ右回りに形成されていてもよい。
【００１５】
本体部３は、灯体４を首振り自在に支持する灯体支持具３１と、この灯体支持具３１を器具取付面に沿う方向に移動可能に支持するコーン３２と、灯体支持具３１及びコーン３２を下部枠体２２に取り付けるための取付ばね３３と、で構成される。これらは、上方から、灯体支持具３１、取付ばね３３、コーン３２の順で配置されて一体に固定され、下部枠体２２に下方から嵌め込まれる。
【００１６】
灯体支持具３１は、外形が円状である基板３１１と、基板３１１上面に垂直に設けられ、灯体４を首振り自在に軸支する軸が挿通される軸受け部３１２と、を一体に有する。軸受け部３１２には、灯体４の首振り角の範囲を規制するためストッパが設けられる。上記の基板３１１は、上方の灯体４から出射された光を通過させる開口３１１ａと、灯体支持具３１をコーン３２に固定するためのねじ６１が挿入される長穴３１１ｂと、を有する。開口３１１ａの一端部近傍に、上記の軸受け部３１２が設けられる。長穴３１１ｂの数は例えば２個であり、その大きさは略等しく、２個の長穴３１１ｂは平行して設けられる。首振り軸の軸線は、長穴３１１ｂの長手方向と略直交する。なお、灯体支持具３１の形状は上記に限定されない。
【００１７】
コーン３２は、灯体４から出射された光が通過する貫通孔を有する円筒状部材から成り、平面視でその外形の大きさは灯体支持具３１のそれと略等しい。上記の貫通孔は下方に階段状に拡径している。ここで、この貫通孔の上側開口を投光用開口３２ａという。この投光用開口３２ａの位置は、灯体支持具３１の開口３１１ａに対応しており、投光用開口３２ａは平面視で開口３１１ａと重なる。また、投光用開口３２ａの開口面積は、灯体支持具３１の開口３１１ａのそれより小さい。
【００１８】
さらに、コーン３２は、上面に、灯体支持具３１の長穴３１１ｂに挿入されたねじ６１が挿入されるねじ孔（不図示）を有すると共に、外周面の最下部に、その全周に亘って設けられた鍔部３２１を有する。鍔部３２１の外径は、コーン３２の鍔部３２１以外の部分の外径よりも大きい。また、コーン３２の上面は、外周面に直交する平面であり、天井に取付時に器具取付面と略平行となる。なお、コーン３２の形状は上記に限定されない。
【００１９】
取付ばね３３は、例えば金属製の板状部材から成り、コーン３２の上面形状に応じて成形された平面視円弧状の上底部３３ａと、上底部３３ａの両端部のそれぞれに上底部３３ａと略直交し、コーン３２の側面形状に応じて成形された垂下部３３ｂと、を有する。上底部３３ａは、コーン３２の投光用開口３２ａを塞がないように成形されており、上底部３３ａのコーン３２のねじ孔に対応する部位には、ねじ穴３３ｃが設けられている。さらに、取付ばね３３は、垂下部３３ｂと一続きであり、且つ、コーン３２の側面形状に応じて成形され、上側端部が下部枠体２２に掛止される掛止部３３ｄを有する。この掛止部３３ｄの上側端部は、折り曲げられて上側に設けられた、下部枠体２２に取り付け易くするためのテーパ面と、同様に下側に設けられた、下部枠体２２から外れ難くするためのテーパ面とを有する。また、上側端部の高さは、下部枠体２２の高さと略等しい。
【００２０】
上記の灯体支持具３１、取付ばね３３及びコーン３２は、ねじ６１により固定されて本体部３を構成する。これらの固定時に、ねじ６１は、上方から、灯体支持具３１の長穴３１１ｂ及び取付ばね３３のねじ穴３３ｃに挿入され、コーン３２のねじ孔に螺子入れられる。ねじ６１が灯体支持具３１の長穴３１１ｂに挿入される際には、ねじ６１に、コイルばね６２と、次に座金６３とが通される。この座金６３は例えば平座金である。このように、灯体支持具３１は、コイルばね６２を介してねじ６１により固定されるので、コイルばね６２の弾性力により、灯体支持具３１をコーン３２に対してコーン３２上面に沿う方向に移動させることが可能になると共に、移動時のがたつきを抑制することができる。
【００２１】
灯体支持具３１の移動方向は、コーン３２上面は器具取付面と略平行であるため、器具取付面に沿った方向である。移動の際、灯体支持具３１は長穴３１１ｂの長手方向に動く。灯体支持具３１が器具取付面に沿う方向に移動していないとき、灯体支持具３１の開口３１１ａはコーン３２の投光用開口３２ａに対応した位置に在って平面視で重なる。
【００２２】
灯体４は、下面に光照射用開口を有し、内部にランプ等の光源（不図示）及び光源を保持するためのソケット（不図示）を納装する。光源から放射された光は、灯体４の光照射用開口から出射される。この光照射用開口の位置は、灯体支持具３１の開口３１１ａ及びコーン３２の投光用開口３２ａに対応している。灯体支持具３１が器具取付面に沿う方向に移動していないとき、すなわち灯体支持具３１に支持される灯体４が器具取付面に沿う方向に移動していないとき、光照射用開口は、平面視で灯体支持具３１の開口３１１ａ及びコーン３２の投光用開口３２ａと重なり、灯体４の軸心はコーン３２の投光用開口３２ａの軸心と略一致する。なお、光源は、例えば、白熱電球、ハロゲンランプ、メタルハライドランプ、電球形蛍光灯又は高輝度ＬＥＤランプであり、これらに限定されない。また、灯体４には、天井裏に配線された電力線（不図示）が接続されており、この電力線から光源に電力が供給される。このため、灯体４及び本体部３が下部枠体２２から外れたとしても、電力線によりこれらは天井に吊り下げられるので、これらの落下を防止できる。
【００２３】
灯体４の光照射用開口周縁の一端部近傍には、軸受け部４１が設けられる。この軸受け部４１に、ねじ８１が挿通され、同ねじがさらに灯体支持具３１の軸受け部３１２に挿通される。これらの軸受け部４１、３１２に挿通されたねじ８１の先端には、ナット８２が締め込まれる。このとき、灯体４の軸受け部４１と灯体支持具３１の軸受け部３１２は、ねじ８１及びナット８２の締め付けトルクが調整されることにより、灯体４が首振り可能となるように固定される。上記構成により、灯体４は、灯体支持具３１の軸受け部３１２に挿通されたねじ８１に軸支され、ねじ８１を首振り軸とし、灯体支持具３１に対して首振り自在に設けられる。従って、灯体４の首振り角を変化させることにより、光照射方向を変えることができる。この首振り角は、任意に設定可能である。なお、ねじ８１は、上記とは逆の順で、灯体支持具３１の軸受け部３１２及び灯体４の軸受け部４１に挿通されても構わない。
【００２４】
上記構成により、本体部３の灯体支持具３１及び灯体４を器具取付面に沿う方向に移動させることができる。このため、灯体４の光源の光軸が本体部３のコーン３２と重ならないように、灯体４の首振り角を設定できる。その結果、光照射範囲を広く設定できる。
【００２５】
図２（ａ）は、上部枠体２１の構成を示す。上記の通り、上部枠体２１は、一部が本体２１ａ及び鍔部２１ｂに亘って内周側から外周側にかけて切欠されて形成されており、そのため、上部枠体２１の形状は平面視Ｃ字状である。上部枠体２１の切欠された部分の幅は、天井の厚さより広く、該部分の外周側最端部の幅をＷ１、該部分の内周側最端部の幅をＷ２としたとき、Ｗ１＞Ｗ２としている。切欠された幅は、例えば内周側から外周側にかけて放射状に拡がっている。この場合、内周側最端部の幅Ｗ２は、上部枠体２１の軸心（直交する２線の一点破線が重なる点）から内周側最端部までの距離をＲ２、内周側最端部から外周側最端部までの距離をＲ１としたとき、Ｗ２＝Ｒ２／（Ｒ１＋Ｒ２）×Ｗ１としている。なお、切欠された部分の幅の拡がり方は上記に限定されない。
【００２６】
図２（ｂ）は、上記実施形態に係る上部枠体２１の変形例を示す。本変形例の上部枠体２１は、同図（ａ）に示される上部枠体２１の構成と比較して、切欠された部分の形状が異なる。切欠された部分の外周側最端部の幅をＷ１０、該部分の内周側最端部の幅をＷ２０とするとき、本変形例の上部枠体２１においては、Ｗ１０＝Ｗ２０としており、切欠された部分の幅は内周側から外周側にかけて略等しい。この切欠された部分は、軸心を通るように図中左右に引かれた一点破線に対して直交する方向に設けられている。なお、上部枠体２１の切欠された部分の形状は上記に限定されない。
【００２７】
図３は、灯体４及び本体部３を下部枠体２２に取り付けた状態を示す。本体部３の下部枠体２２への取り付け前に、灯体４を支持する灯体支持具３１、取付ばね３３及びコーン３２が互いに固定され、本体部３が組み立てられる。その後、灯体４が、下部枠体２２の下方から該下部枠体２２に挿入され、続いて本体部３が下部枠体２２に嵌め込まれる。
【００２８】
本体部３は、下部枠体２２に嵌め込まれるとき、コーン３２の鍔部（図３においては不図示）と、取付ばね３３の掛止部３３ｄの上側端部とが支持枠２を挟むように嵌め込まれる。コーン３２及び取付ばね３３は、下部枠体２２を挟むことにより、自身を下部枠体２２に固定する。このようにして、灯体４と、灯体支持具３１、取付ばね３３及びコーン３２から成る本体部３とは、下部枠体２２に支持される。灯体４は灯体支持具３１により支持されているので、上記構成により、灯体４は、灯体支持具３１、取付ばね３３及びコーン３２を介して、下部枠体２２に支持される。
【００２９】
図４（ａ）（ｂ）は、上部枠体２１が天井Ｃの器具取付面Ｃ１の背面Ｃ２側に配置されるときの様子と、上部枠体２１と下部枠体２２のそれぞれが背面Ｃ２側又は器具取付面Ｃ１側の所定の位置に配置された後の状態とを示す。なお、同図（ｂ）において、下部枠体２２は上部枠体２１に取り付けられる前の状態である。
【００３０】
上記の通り、上部枠体２１の外径は天井Ｃの埋込孔Ｃ３の開口径より大きい。しかしながら、上部枠体２１の形状は平面視Ｃ字状であり、該上部枠体２１は切欠された部分を有し、該部分の幅は天井Ｃの厚さより広い。このため、以下の手順により上部枠体２１を背面Ｃ２側に配置することができる。まず、上部枠体２１の向きが、天井Ｃの器具取付面Ｃ１に対して略直角な方向に向けられる。次に、天井Ｃの埋込孔Ｃ３周縁の一部が、上部枠体２１の切欠された部分に差し込まれるように、上部枠体２１が埋込孔Ｃ３に挿入される。上部枠体２１において切欠された部分と軸心を中心に略点対称となる部分が埋込孔Ｃ３に通され、上部枠体２１が背面Ｃ２側に進出する。
【００３１】
上部枠体２１は、背面Ｃ２側すなわち天井Ｃ裏に進出した後、背面Ｃ２上に埋込孔Ｃ３に対応して配置される。鍔部２１ｂが本体２１ａの外周面の最上部付近又は中部付近に設けられているので、配置の際に、鍔部２１ｂより下方の本体２１ａ下部が埋込孔Ｃ３に嵌め込まれ、上部枠体２１は位置決めされる。上部枠体２１の外径すなわち鍔部２１ｂの外径は埋込孔Ｃ３の開口径より大きいので、上部枠体２１が位置決めされたとき、鍔部２１ｂは背面Ｃ２側の埋込孔Ｃ３周縁上に載置される。このようにして、上部枠体２１は天井Ｃ裏に固定される。一方、下部枠体２２は、上部枠体２１への取り付けに際し、天井Ｃの器具取付面Ｃ１側の下方に配置される。
【００３２】
上記の通り、本体２１ａの下部を埋込孔Ｃ３に嵌め込むことにより上部枠体２１を位置決めできるので、上部枠体２１の容易な位置決めが可能となる。また、上部枠体２１の鍔部２１ｂが背面Ｃ２側の埋込孔Ｃ３周縁上に載置されるので、上部枠体２１の落下を防止できる。
【００３３】
ここで、図２（ａ）に示される上部枠体２１（以下、上部枠体２１と略す）の形状と、同図（ｂ）に示される該上部枠体２１の変形例（以下、変形例と略す）の形状とを比較して、形状が下部枠体２２の固定に及ぼす影響を考察する。切欠された部分の外周側最端部の幅は、天井Ｃの厚さすなわち器具取付面Ｃ１とその背面Ｃ２との距離に応じて設定される。従って、切欠された部分の外周側最端部の幅を一定としたとき、上部枠体２１は、該部分の幅が内周側から外周側にかけて放射状に拡がっているので、変形例の内周側最端部の幅よりも上部枠体２１のそれの方が狭くなる。このため、上部枠体２１において螺旋状の溝２１ｃが設けられた部分を広く確保できる。従って、下部枠体２２を下方から上部枠体２１に螺旋入れるとき、下部枠体２２が係止される部分の少ないことにより生ずる不安定性を低め、下部枠体２２を上部枠体２１に対して堅固に且つ確実に固定できる。その結果、下部枠体２２の落下防止を図ることができ、安全性を向上させることができる。
【００３４】
図５（ａ）（ｂ）は、下部枠体２２が上部枠体２１に取り付けられるときの様子を示す。上部枠体２１が、天井Ｃ裏の背面Ｃ２上に、埋込孔Ｃ３に対応して配置された後、下部枠体２２は、器具取付面Ｃ１側から埋込孔Ｃ３に挿入される。埋込孔Ｃ３への挿入後、下部枠体２２は、該下部枠体２２の溝２２ｂと上部枠体２１の溝２１ｃとが合わされて、該上部枠体２１に螺子入れられる。このとき、螺旋入れに伴って、上部枠体２１が浮き上がる可能性がある。この浮き上がりを防止するため、本実施形態においては、例えば固定補助具５が用いられる。
【００３５】
固定補助具５は、所定の幅を持つ板状部材から成り、正面視でＶ字状の握り部５ａと、この握り部５ａの先端にそれぞれ設けられた逆樋状の返し部５ｂとを有する。この固定補助具５の平面視長手方向の長さは、埋込孔Ｃ３の開口径及び上部枠体２１の本体２１ａの外径より大きく、上部枠体２１の鍔部２１ｂの外径より小さい。上記の固定補助具５は、例えば、金属等の板状部材が折り曲げられて成形されたもの、又は、樹脂を射出して成形されたものから成る。なお、固定補助具５は、板状部材に限定されず、棒状部材から成るものであっても構わない。
【００３６】
下部枠体２２の上部枠体２１への螺旋入れ前に、固定補助具５は、埋込孔Ｃ３そして上部枠体２１の貫通孔に、返し部５ｂ側から挿入される。このとき、握り部５ａはユーザにより握られ、固定補助具５の平面視長手方向の長さは、埋込孔Ｃ３の開口径より、また上部枠体２１の内径より縮められている。固定補助具５が埋込孔Ｃ３に挿入され、返し部５ｂが上部枠体２１を越えたとき、ユーザは握り部５ａを握る力を弱める。その結果、固定補助具５の平面視長手方向の長さが元に戻る。この状態で、ユーザが固定補助具５を下方へ引っ張るとき、返し部５ｂが上部枠体２１の鍔部２１ｂの上面に当接する。従って、鍔部２１ｂを天井Ｃの背面Ｃ２に押さえつけ、上部枠体２１の固定を補助することができる。固定補助具５の上記使用法により、下部枠体２２の螺旋入れに伴う上部枠体２１の浮き上がりを防止でき、下部枠体２２の螺旋入れを簡単に行なうことができる。
【００３７】
図６（ａ）は、上部枠体２１及び下部枠体２２の使用状態を示す。上記のように、上部枠体２１は、天井Ｃ裏の背面Ｃ２上に、埋込孔Ｃ３に対応して配置される。また、下部枠体２２は、この上部枠体２１に下方から、該下部枠体２２の溝２２ｂと上部枠体２１の溝２１ｃとが合わされて、ユーザにより螺旋入れされる。螺旋入れは、下部枠体２２の鍔部２２ｃが器具取付面Ｃ１の背面Ｃ２に少なくとも当接するまで行なわれる。この螺旋入れにより、上部枠体２１の鍔部２１ｂと下部枠体２２の鍔部２２ｃとは、器具取付面Ｃ１側とその背面Ｃ２側とで天井Ｃの埋込孔Ｃ３周縁を狭持する。下部枠体２２の鍔部２２ｃが器具取付面Ｃ１と当接した後にも、上部枠体２１への螺子入れを行ない、螺旋入れ具合を調整することにより、上部枠体２１及び下部枠体２２を天井Ｃに堅固に固定できる。
【００３８】
上記構成により、上部枠体２１及び下部枠体２２は、埋込孔Ｃ３に直接固定されるので、従来のようにばね等により埋込孔Ｃ３に取り付けられる場合と異なり、ばねの弾性力を生かすため埋込孔Ｃ３の壁面と上部枠体２１又は下部枠体２２との間の隙間を拡げる必要がなく、この隙間を小さくすることができる。上記の隙間が小さいので、埋込孔Ｃ３が所定の大きさの開口を有する場合に、下部枠体２２下部に設けられたの開口をより大きくすることができる。従って、下部枠体２２の内側に配置されるコーン３２下部の光照射口の開口径を大きくできる。その結果、埋込型照明器具１の器具効率の向上を図ることができる。また、上部枠体２１及び下部枠体２２は、天井Ｃの埋込孔Ｃ３周縁を挟持するように固定されるので、下方への枠ずれ及びそれに伴う光漏れを防止できる。さらに、下部枠体２２の上部枠体２１への螺旋入れ量を調整することにより、異なる深さの埋込孔Ｃ３に対応して、上部枠体２１及び下部枠体２２を埋込孔Ｃ３に取り付けることができる。ここで、上記の器具効率とは、光源が点灯したときに放射される全光束に対する、光源が埋込型照明器具１に装着されて点灯したときに該器具外に出射される光束の割合を指す。
【００３９】
図６（ｂ）は、上部枠体２１に螺旋入れられた下部枠体２２に、灯体４及び本体部３とが取り付けられた状態を示す。下部枠体２２が上部枠体２１により天井Ｃの埋込孔Ｃ３に固定された後、灯体４、次いで本体部３が下部枠体２２に下方から挿入される。本体部３は下部枠体２２に嵌め込まれ、本体部３の取付ばねの掛止部（同図において不図示）と、コーン３２の鍔部３２１とが下部枠体２２を挟み込む。この位置で本体部３は下部枠体２２に固定される。本体部３は、下部枠体２２を挟んで固定されているだけであるので、コーン３２の軸心（一点破線で示す）を中心軸として器具取付面Ｃ１と平行な方向に回転させることができる。本体部３が回転した場合、本体部３の灯体支持具３１に支持されている灯体４も回転する。
【００４０】
上記の通り、灯体４は、首振り可能であり、且つ、器具取付面Ｃ１の方向に沿って移動可能な上、器具取付面Ｃ１と平行に回転可能である。従って、従来のように埋込型照明器具１が板ばねにより天井に取り付けられていた場合、灯体４の首振り角を設定して灯体４を傾動させたときに、灯体４が天井裏側に突出した板ばねに接触して、灯体４の首振りが妨げられ、首振り範囲が制限されることがあった。
【００４１】
一方、本実施形態によれば、支持枠２を構成する上部枠体２１及び下部枠体２２は、埋込孔Ｃ３周縁を挟持するように固定されるので、灯体４が首振り自在に設けられた場合において、器具取付面Ｃ１の背面Ｃ２側の空間に突出したばね等の支持枠固定用部材により灯体４の首振りが制限されることは無い。従って、灯体４の首振り範囲を広く確保でき、所望の方向への光照射が可能となる。
【００４２】
本発明は、上記実施形態の構成に限定されるものでなく、使用目的に応じ、様々な変形が可能である。例えば、埋込型照明器具１は、天井に限定されず、壁等の器具取付面に取り付けられても構わない。
【図面の簡単な説明】
【００４３】
【図１】本発明の一実施形態に係る埋込型照明器具の構成を示す分解斜視図。
【図２】（ａ）は上記埋込型照明器具の上部枠体を示す平面図、（ｂ）は同上部枠体の変形例を示す図。
【図３】上記埋込型照明器具の灯体及び本体部を下部枠体に取り付けた状態を示す斜視図。
【図４】（ａ）は上記上部枠体が器具取付面の背面側に配置されるときの様子を示す断面図、（ｂ）は同上部枠体及び上記下部枠体が下部枠体の上部枠体への取付前に所定の位置に配置された状態を示す断面図。
【図５】（ａ）は上記下部枠体が上記上部枠体に取り付けられるときの様子を示す断面図、（ｂ）は（ａ）の斜視図。
【図６】（ａ）は上記上部枠体及び下部枠体の使用状態を示す断面図、（ｂ）は同下部枠体に灯体及び本体部が取り付けられた状態を示す断面図。
【符号の説明】
【００４４】
１  埋込型照明器具
２  支持枠
２１  上部枠体（第１の枠体）
２２  下部枠体（第２の枠体）
３  本体部
４  灯体
Ｃ  天井
Ｃ１  器具取付面
Ｃ２  背面
Ｃ３  埋込孔
【図１】
2008066142.tif 000003
【図２】
2008066142.tif 000004
【図３】
2008066142.tif 000005
【図４】
2008066142.tif 000006
【図５】
2008066142.tif 000007
【図６】
2008066142.tif 000008